(57)【特許請求の範囲】
【請求項１】
洗面ボールが設置される洗面台ユニットを支持する洗面台ユニットの支持構造において、
前記洗面台ユニットは、枠状に形成されて前記洗面ボールが設置される枠体と、この枠体の底面でかつ当該枠体の奥行き方向の前側略半分に設けられた水平板とを備え、
前記枠体が前記壁に固定され、
前記枠体の下方の床に立設されたカバー板によって、前記水平板の奥側の端部が下方から支持されるとともに、前記洗面ボールに接続される配管が前記洗面台ユニットの正面側から見て隠されていることを特徴とする洗面台ユニットの支持構造。
【請求項２】
請求項１に記載の洗面台ユニットの支持構造において、
現場で造られた造作ユニットが前記壁に前記洗面台ユニットに隣接して固定されるとともに前記洗面台ユニットに連結されていることを特徴とする洗面台ユニットの支持構造。
【請求項３】
請求項２に記載の洗面台ユニットの支持構造において、
前記枠体の側面に、受材が取り付けられており、
この受材に前記造作ユニットの端部が固定されていることを特徴とする洗面台ユニットの支持構造。
【請求項４】
請求項１に記載の洗面台ユニットの支持構造において、
予め作製された補助ユニットが前記壁に前記洗面台ユニットと所定の間隔をもって固定されるとともに前記洗面台ユニットに連結材によって連結されていることを特徴とする洗面台ユニットの支持構造。
【請求項５】
請求項４に記載の洗面台ユニットの支持構造において、
前記枠体と前記補助ユニットの互い対向する側面に、それぞれ受材が取り付けられており、この受材に前記連結材の両端部がそれぞれ固定されていることを特徴とする洗面台ユニットの支持構造。
【発明の詳細な説明】
【技術分野】
【０００１】
本発明は、洗面台ユニットの支持構造に関する。
【背景技術】
【０００２】
洗面台のカウンタの支持構造の一例として特許文献１に記載のものが知られている。このカウンタの支持構造は、少なくともカウンタの左右いずれか一方側を、当該カウンタの端縁部に隣接して配置した取付具又は当該端縁部の上方に配置した取付具によって床面上に支持するための構造であって、前記取付具は、前記カウンタより上方に配置され且つ壁面に固定される縦フレーム部と、前記カウンタの端縁部を支持する横フレーム部とを有し、前記縦フレーム部及び横フレーム部によって間仕切り部材が支持されることを特徴としている。
このようなカウンタの支持構造によれば、カウンタの端縁部に隣接させた取付具又は当該端縁部の上方に配置した取付具における縦フレーム部を、カウンタよりも上方で壁面へ固定すると同時に、横フレーム部でカウンタ端縁部を床面上に支持するから、カウンタと床面との間に、障害物の無い空間を形成することが可能である。また、取付具で間仕切り部材を支持するから、当該取付具をカウンタの上部空間の間仕切り部材として機能させることが出来る。従って、本発明を利用してカウンタを施工すれば、観察者に対し、取付具は間仕切りとしての外観を呈することになり、取付具として意識させるとがなくなるので、美観性が向上する。
【先行技術文献】
【特許文献】
【０００３】
【特許文献１】特開２００７−４４２００号公報
【発明の概要】
【発明が解決しようとする課題】
【０００４】
ところで、上記従来の洗面台のカウンタの支持構造では、カウンタの側部を枠体構造を有する取付具によって支持しているため、枠体の厚さの分だけ、カウンタの幅、つまり洗面台の幅が小さくなってしまう。
また、洗面台と床面との間に、障害物の無い空間を形成することが可能であるが、その反面、洗面ボール等に接続される配管が洗面台の正面から見えてしまい、意匠上あまり好ましくないとい問題もある。
【０００５】
本発明は上記事情に鑑みてなされたもので、洗面台を支持する部材によって洗面台の幅を小さくすることなく、かつ、洗面ボールに接続する配管を洗面台の正面から見えないように隠すことができる洗面台ユニットの支持構造を提供することを課題としている。
【課題を解決するための手段】
【０００６】
上記課題を解決するために、請求項１に記載の発明は、例えば図１〜図９に示すように、洗面ボール１１が設置される洗面台ユニット１を支持する洗面台ユニットの支持構造において、
前記洗面台ユニット１は、枠状に形成されて前記洗面ボール１１が設置される枠体３と、この枠体３の底面でかつ当該枠体３の奥行き方向の前側略半分に設けられた水平板４とを備え、
前記枠体３が前記壁１０に固定され、
前記枠体３の下方の床１５に立設されたカバー板１６によって、前記水平板４の奥側の端部が下方から支持されるとともに、前記洗面ボール１１に接続される配管１７が前記洗面台ユニット１の正面側から見て隠されていることを特徴とする。
【０００７】
請求項１に記載の発明によれば、洗面台ユニット１を構成する枠体３が壁１０に固定され、床１５に立設されたカバー板１６によって、枠体３の底面に設けられた水平板４の奥側の端部が下方から支持されているので、洗面台ユニット１の幅を狭くすることなく洗面台ユニット１をカバー板１６によって支持できるとともにこのカバー板１６によって洗面ボール１１に接続される配管１７を洗面台ユニット１の正面側から見て隠すことができる。
また、水平板４が筋交いの役目を果たすので、枠体３を補強できる。さらに、水平板４の奥側の端部がカバー板１６によって支持されているので、この水平板４の下方に車椅子等が入れる空間を確保できる。
【０００８】
請求項２に記載の発明は、請求項１に記載の洗面台ユニットの支持構造において、
現場で造られた造作ユニット２が前記壁１０に前記洗面台ユニット１に隣接して固定されるとともに前記洗面台ユニット１に連結されていることを特徴とする。
【０００９】
請求項２に記載の発明によれば、現場で造られた造作ユニット２が壁に洗面台ユニット１に隣接して固定されるとともに前記洗面台ユニット１に連結されているので、造作ユニット２によって洗面台の左右の幅を広げることができる。
【００１０】
請求項３に記載の発明は、請求項２に記載の洗面台ユニットの支持構造において、
前記枠体３の側面に、受材８が取り付けられており、
この受材８に前記造作ユニット２の端部（例えば前板２２ａの端部）が固定されていることを特徴とする。
【００１１】
請求項３に記載の発明によれば、枠体３の側面に取り付けられた受材８に、造作ユニット２の端部が固定されているので、造作ユニット２を洗面台ユニット１に容易に連結できる。
【００１２】
請求項４に記載の発明は、例えば図１０〜図１４に示すように、請求項１に記載の洗面台ユニットの支持構造において、
予め作製された補助ユニット（例えば引出ユニット）３０が前記壁１０に前記洗面台ユニット１と所定の間隔をもって固定されるとともに前記洗面台ユニット１に連結材（例えば造作前板）４３によって連結されていることを特徴とする。
【００１３】
請求項４に記載の発明によれば、補助ユニット３０が壁１０に洗面台ユニット１と所定の間隔をもって固定されるとともに前記洗面台ユニット１に連結材４３によって連結されているので、補助ユニット３０によって洗面台の左右の幅を広げることができる。
【００１４】
請求項５に記載の発明は、請求項４に記載の洗面台ユニットの支持構造において、
前記枠体３と前記補助ユニット３０の互い対向する側面に、それぞれ受材８,４２が取り付けられており、この受材８,４２に前記連結材４３の両端部がそれぞれ固定されていることを特徴とする。
【００１５】
請求項５に記載の発明によれば、枠体３と補助ユニット３０の互い対向する側面にそれぞれ取り付けられた受材８,４２に、連結材４３の両端部がそれぞれ固定されているので、補助ユニット３０を連結材４３を介して洗面台ユニット１に容易に連結できる。
【発明の効果】
【００１６】
本発明によれば、洗面台ユニットを構成する枠体が壁に固定され、床に立設されたカバー板によって、枠体の底面に設けられた水平板の奥側の端部が下方から支持されているので、洗面台ユニットの幅を狭くすることなく洗面台ユニットをカバー板によって支持できるとともに、このカバー板によって洗面ボール等に接続される配管を正面側から隠すことができる。
また、水平板が筋交いの役目を果たすので、枠体を補強できる。さらに、水平板の奥側の端部がカバー板によって支持されているので、この水平板の下方に車椅子等が入れる空間を確保できる。
【図面の簡単な説明】
【００１７】
【図１】本発明に係る洗面台ユニットの支持構造の一例を示すもので、その正面図である。
【図２】同、平面図である。
【図３】同、図１におけるＡ−Ａ線断面図である。
【図４】同、洗面台ユニットと造作ユニットの枠構造を示す斜視図である。
【図５】同、壁に洗面台ユニットの枠体を固定した状態を示す斜視図である。
【図６】同、造作ユニットを作製している状態を示す斜視図である。
【図７】同、化粧幕板を取り付けている状態を示す斜視図である。
【図８】同、カウンタを設置している状態を示す斜視図である。
【図９】同、カバー板を取り付けている状態を示す斜視図である。
【図１０】本発明に係る洗面台ユニットの支持構造の他の例を示すもので、洗面台ユニットと引出ユニットの枠構造を示す斜視図である。
【図１１】同、壁に洗面台ユニットの枠体を固定した状態を示す斜視図である。
【図１２】同、壁に引出ユニットを固定した状態を示す斜視図である。
【図１３】同、化粧幕板を取り付けている状態を示す斜視図である。
【図１４】同、カウンタを設置している状態を示す斜視図である。
【発明を実施するための形態】
【００１８】
以下、図面を参照して本発明の実施の形態について説明する。
（第１の実施の形態）
図１〜図３は、本発明に係る洗面台ユニットの支持構造の一例を示すもので、図１は正面図、図２は平面図、図３は図１におけるＡ−Ａ線断面図である。
これらの図において、符号１は洗面台ユニット、符号２は造作ユニットを示す。
洗面台ユニット１は、図４に示すように、矩形枠状に形成された枠体３と、この枠体３の底面に設けられた水平板４とを有している。
枠体３の内部には仕切板５が枠体３の左右の側板３ａ,３ａと平行に、かつ右の側板３ａ側に寄せて設けられている。また、枠体３の右端部にはカウンタ受板６が枠体３の上面と面一に設けられている。さらに、枠体３の左の側板３ａの表面には前後に離間して受金具７,７が取り付けられ、仕切板５の表面にも前後に離間して受金具７,７が取り付けられている。
【００１９】
さらに、枠体３の左側面、すなわち左側の側板３ａの表面には受材８が取り付けられている。この受材８は角材によって構成されており、その高さは枠体３の高さと等しくなっている。また、受材８は、枠体３の左側面のうちの前側の部位に左側の側板３ａの前端から所定の長さだけ奥側に配置されている。なお、この所定の長さは、造作ユニット２の後述する前板２２ａの厚さに相当する。
前記水平板４は枠体３の底面でかつ当該枠体３の奥行き方向の前側略半分に設けられ、かつ左右の長さは左の側板３ａと仕切板５との間の距離と等しくなっている。そして、水平板４の左右の端面は左の側板３ａと仕切板５とにそれぞれ当接固定されている。また、水平板４の下面は枠体３の底面と面一になっている。
【００２０】
前記枠体３の左の側板３ａ、仕切板５、前板３ｂ、背板３ｃによって囲まれた部分に、洗面ボール１１（図１〜図３参照）が設置されており、この洗面ボール１１は前記受金具７に下方からネジを挿入し、洗面ボール１１に形成されたネジ孔に螺合することによって、枠体３に固定されている。また、枠体３の前板３ｂには、図１および図３に示すように、化粧幕板１２が取り付けられている。この化粧幕板１２は造作ユニット２の前板２２ａまで延びる長尺なものであり、当該化粧幕板１２はこの前板２２ａにも取付けられている。
さらに、枠体３の上面には、洗面ボール１１に隣接してカウンタ１３が設置されている。このカウンタ１３の一部は前記カウンタ受板６に当接しており、このカウンタ受板６の下方から当該カウンタ受板６を通してビスをカウンタ１３にねじ込むことによって、当該カウンタ１３は枠体３に固定されている。
【００２１】
上記のような構成の洗面台ユニット１は、図２および図５に示すように、平面視コ字形の壁１０に固定されている。
すなわち、壁１０は左右の側壁１０ａ,１０ａと、この側壁１０ａ,１０ａの奥側に設けられた正面壁１０ｂとから構成されており、右の側壁１０ａと正面壁１０ｂにそれぞれ洗面台ユニット１の右側の側板３ａと背板３ｃが当接され、ビスによって固定されている。これによって、洗面台ユニット１は壁１０に水平に固定されている。
また、図１および図３に示すように、枠体３の水平板４の下方の床１５には、カバー板１６が立設されている。このカバー板１６は洗面ボール１１等に接続される配管１７を洗面台ユニット１の正面側から見て隠すものであり、前記水平板４の左右の長さとほぼ等しい長さを有し、高さは床１５から水平板４までの高さと等しくなっている。
この水平板４の奥側の端部下面にカバー板１６の上端部が固定され、これによって水平板４の奥側の端部がカバー板１６によって下方から支持されている。
【００２２】
上記のような洗面台ユニット１に隣接して造作ユニット２が壁１０に固定されるとともに、洗面台ユニット１に連結されている。
造作ユニット２は、現場で造られるものであり、図４に示すように、側板部２１と前板部２２と、カウンタ受材２３とによって平面視コ字形に形成されたコ字形枠２０を有している。
側板部２１は帯板状の側板２１ａと、この側板２１ａの裏面に固定された角材状の受材２１ｂとから構成されており、受材２１ｂの前端部は側板２１ａの前端面より所定寸法だけ奥側に位置している。
前板部２２は帯板状の前板２２ａと、この前板２２ａの裏面に固定された角材状の受材２２ｂとから構成されており、受材２２ｂの両端部は前板２２ａの両端面より所定寸法だけ内側に位置している。
カウンタ受材２３は角材によって形成されており、その両端面はそれぞれ前記受材２１ｂの端部と前記洗面台ユニット１の左側の側板３ａの端部に当接されている。
【００２３】
このような構成の造作ユニット２を現場で壁１０に固定するとともに洗面台ユニット１に連結するには、まず、図５に示すように、前記洗面台ユニット１を構成する枠体３を、その右側の側板３ａを右の側壁１０ａに当接するとともに、背板３ｃを正面壁１０ｂに当接したうえで、これら側板３ａおよび背板３ｃを通してビスを側壁１０ａおよび正面壁１０ｂにねじ込むによって行う。これによって、枠体３を水平に壁１０に固定する。
【００２４】
次に、コ字形枠２０を構成する側板部２１を前記洗面台ユニット１の枠体３と同じ高さで左の側壁１０ａに沿って配置するとともに、側板２１ａを当該側壁１０ａに当接したうえで、ビスＢを側板部２１を通して側壁１０ａにねじ込むことによって固定する。
次に、図６に示すように、カウンタ受材用の角材Ｋ１を現場でカットしてカウンタ受材２３を作製し、このカウンタ受材２３を側板部２１の受材２１ｂの端部と枠体３の左側の側板３ａとの間に配置するとともに、カウンタ受材２３の両端面をそれぞれ受材２１ｂと側板３ａに当接し、さらに当該カウンタ受材２３を正面壁１０ｂに当接したうえで、カウンタ受材２３を通してビスＢを正面壁１０ｂにねじ込む。これによって、カウンタ受材２３を正面壁１０ｂに固定する。
【００２５】
次に、前板部２２用の材料Ｋ２を現場でカットして前板部２２を作製し、この前板部２２を側板部２１の受材２１ｂの端部と枠体３の左側の側板３ａとの間に配置するとともに、前板２２ａの左端部を前記受材２１ｂの前端面に当接するとともに、前板２２ａの右端部を前記側板３ａに取り付けられている受材８に当接したうえで、前板２２ａを通してビスＢを受材２１ｂ,８にねじ込むことによって、前板部２２を側板部２１に固定するとともに、前記側板３ａに固定する。これによって、造作ユニット２を構成するコ字形枠２０を、洗面台ユニット１を構成する枠体３に連結する。
【００２６】
次に、図７に示すように、枠体３の前板３ｂと造作ユニット２の前板２２ａに、化粧幕板１２を取り付ける。この場合、ビスＢを前板３ｂおよび前板２２ａの裏側からこれらを通して化粧幕板１２にねじ込むことによって、化粧幕板１２を取り付ける。
次に、図８に示すように、カウンタ１３を枠体３の右側の上面に設置したうえで、カウンタ受板６の下方から当該カウンタ受板６を通してビスＢをカウンタ１３にねじ込むことによって、当該カウンタ１３を枠体３に固定する。
また、カウンタ２５をコ字形枠２０の上面と枠体３の左の側板３ａの上面に設置したうえで、カウンタ受材２３、受材２１ｂ,２２ｂの下方からこれらを通してビスＢをカウンタ２５にねじ込むことによって、当該カウンタ２５をコ字形枠２０に固定する。
【００２７】
次に、図９に示すように、カバー板１６を枠体３の水平板４の下方の床１５に立設するとともに、このカバー板１６の上端部を水平板４の奥側の端部下面に固定し、これによって、水平板４の奥側の端部をカバー板１６によって下方から支持する。
カバー板１６を床１５に固定する場合、カバー板１６の下端部裏面にＬ形の金具２６をビスによって固定したうえで、この金具２６を床にビスによって固定することにより行う。また、カバー板１６を水平板４に固定する場合、カバー板１６の上端部裏面にＬ形の金具２６をビスによって固定したうえで、この金具２６を水平板４にビスによって固定することにより行う。
次に、図１〜図３に示すように、枠体３の左の側板３ａ、仕切板５、前板３ｂ、背板３ｃによって囲まれた部分に、洗面ボール１１を設置したうえで、前記受金具７に下方からネジを挿入し、洗面ボール１１に形成されたネジ孔に螺合することによって、当該洗面ボール１１を枠体３に固定する。
その後、図１および図３に示すように、洗面ボール１１に配管１７を接続し、さらに、水平板４の下面にタオル掛け２７を取り付けて、施工を終了する。
【００２８】
また、前記洗面台ユニット１の上方には、ミラー付き収納キャビネット５０が壁１０に固定されて設けられている。
このミラー付き収納キャビネット５０は、基本収納キャビネット５１とオプション収納キャビネット５２とから構成されている。
基本収納キャビネット５１は、横方向に３個連設されたキャビネット５１ａ,５１ｂ,５１ａと、それぞれのキャビネット５１ａ,５１ｂ,５１ａの前面開口部に、それぞれ左右一方の縦縁部を軸として開閉可能に取り付けられて、当該前面開口部を開閉するミラー板５１ｃ,５１ｄ,５１ｃとを備えている。また、キャビネット５１ａ,５１ｂ,５１ａには、それぞれ収納棚５４が上下に複数段取り付けられ、中央のキャビネット５１ｂにはその下部に照明５５が取り付けられ、この照明５５の下方は開口している。
このような基本収納キャビネット５１は、右側の側壁１０ａに当接しており、正面壁１０ｂに固定されている。
【００２９】
前記オプション収納キャビネット５２は、顧客の要望によって取り付けられるものであり、その左右の幅は基本収納キャビネット５１より狭くなっている。オプション収納キャビネット５２は、１個のキャビネット５２ａと当該キャビネット５２ａの前面開口部に、左右一方の縦縁部を軸として開閉可能に取り付けられて、当該前面開口部を開閉するミラー板５１ｂとを備えている。また、キャビネット５２ａには、それぞれ収納棚５４が上下に複数段取り付けられている。
このようなオプション収納キャビネット５２は、左側の側壁１０ａと基本収納キャビネット５２の左側面に当接しており、正面壁１０ｂに固定されている。また、オプション収納キャビネット５２を取り付ける場合、ミラー板５１ｂを取り付けない選択もある。
また、ミラー付き収納キャビネット５０と洗面台ユニット１との間に位置する正面壁１０ｂにはミラー板が取り付けられている。
なお、造作ユニット２の下側には、ワゴン収納５６が出し入れ可能に設けられている。
【００３０】
本実施の形態によれば、洗面台ユニット１を構成する枠体３が壁１０に固定され、床１５に立設されたカバー板１６によって、枠体３の底面に設けられた水平板４の奥側の端部が下方から支持されているので、洗面台ユニット１の幅を狭くすることなく洗面台ユニット１をカバー板１６によって支持できるとともに、このカバー板１６によって洗面ボール１１に接続される配管１７を正面側から見て隠すことができる。
また、水平板４が筋交いの役目を果たすので、枠体３を補強できる。さらに、水平板４の奥側の端部がカバー板１６によって支持されているので、この水平板４の下方に車椅子等が入れる空間を確保できる。
さらに、現場で造られた造作ユニット２が壁１０に洗面台ユニット１に隣接して固定されるとともに洗面台ユニット１に連結されているので、造作ユニット２によって洗面台の左右の幅を広げることができる。
加えて、枠体３の側面、すなわち側板３ａの表面に、受材８が取り付けられており、この受材８に造作ユニット２の前板２２ａの端部が固定されているので、造作ユニット２を洗面台ユニット１に容易に連結できる。
また、カバー板１６と正面壁１０ｂとの間に所定の隙間が設けられているので、この隙間から配管１７の状態を確認できるとともに、配管１７に付着した湿気を素早く乾かすことができる。
さらに、洗面台ユニット１の上方に、基本収納キャビネット５１とオプション収納キャビネット５２とから構成されるミラー付き収納キャビネット５０を設けたので、オプション収納キャビネット５２の取り付けを選択することができ、これによって、好みのデザインに仕上げることができる。
【００３１】
（第２の実施の形態）
図１０〜図１４は本発明の第２の実施の形態を示すものである。この第２の実施の形態が前記第１の実施の形態と異なる点は、造作ユニット２に代えて引出ユニット（補助ユニット）３０を設けた点であるので、以下ではこの点について詳しく説明し、第１の実施の形態と共通部分には同一符号を付してその説明を省略ないし簡略化する。
【００３２】
図１０に示すように、引出ユニット（補助ユニット）３０は、工場等で予め作製されるものであり、左右の側板３１,３１と、当該側板３１,３１の後端部間に設けられた背板３２と、側板３１,３１の下縁部間に設けられた底板３３と、側板３１,３１の上縁部間に設けられた３枚の上板３４とからなる枠体３５を有し、さらに、この枠体３５に挿入される引出し３６を備えている。引出し３６は枠体３５の前面開口から側板３１,３１、背板３２、底板３３、上板３４によって囲まれた空間に出し入れ可能に挿入されている。また、枠体３５の右側面、すなわち右の側板３１の表面には、受材４２が取り付けられている。この受材４２は角材によって構成されており、その高さは枠体３５の高さと等しくなっている。また、受材４２は、枠体３５の右側面のうちの前側の部位に、側板３１の前端から所定の長さだけ奥側に配置されている。なお、この所定の長さは、後述する造作前板４３の厚さに相当する。
また、引出ユニット（補助ユニット）３０は、枠体３５の上面に設置されるカウンタ２５を有している。
【００３３】
上記のような引出ユニット（補助ユニット）３０は、前記壁１０に前記洗面台ユニット１と左右に所定の間隔をもって固定されている。
引出ユニット（補助ユニット）３０を壁１０に固定する場合、図１１に示すように、化粧側板４０を左の側壁１０ａにビスＢによって固定する。この場合、化粧側板４０の上面と前記枠体３の上面とが同じ高さになるようにして化粧側板４０を固定する。
次に、図１２に示すように、引出し３６を取り外した状態で枠体３５を化粧側板４０と枠体３との間に挿入し、当該枠体３５の左の側板３１を化粧側板４０に当接してビスによって固定するとともに、背板３２を正面壁１０ｂに当接してビスによって固定する。
【００３４】
次に、図１２に示すように、カウンタ受材用の角材Ｋ３を現場でカットしてカウンタ受材４１を作製し、このカウンタ受材４１を右の側板３１の端部と枠体３の左側の側板３ａとの間に配置するとともに、カウンタ受材４１の両端面をそれぞれ側板３１と側板３ａに当接し、さらに当該カウンタ受材４１を正面壁１０ｂに当接したうえで、カウンタ受材４１をビスＢによって正面壁１０ｂに固定する。
次に、造作前板用の板材Ｋ４を現場でカットして造作前板４３を作製し、枠体３５と枠体３の間に、当該造作前板（連結材）４３を枠体３の前板３ｂと面一になるように配置し、この造作前板４３の両端部を前記受材４２,８に当接して、この受材４２,８にそれぞれビスによって固定する。これによって、引出ユニット（補助ユニット）３０の枠体３５を洗面台ユニット１の枠体３に造作前板（連結材）４３によって連結する。
【００３５】
次に、図１３に示すように、枠体３５に引出し３６を挿入したうえで、前記造作前板４３と前板３ｂに化粧幕板４４を取り付ける。この場合、ビスＢを前板３ｂおよび造作前板４３の裏側からこれらを通して化粧幕板４４にねじ込むことによって、化粧幕板４４を取り付ける。
次に、図１４に示すように、カウンタ１３を枠体３の右側の上面に設置したうえで枠体３に固定するとともに、カウンタ２５を枠体３５、造作前板４３、カウンタ受材４１に設置したうえで、上板３４の下方からこれらを通してビスＢをカウンタ２５にねじ込むことによって、当該カウンタ２５を枠体３５に固定する。
【００３６】
次に、図示は省略するが、図９に示すものと同様にして、カバー板１６を枠体３の水平板４の下方の床１５に立設するとともに、このカバー板１６の上端部を水平板４の奥側の端部下面に固定し、これによって、これによって水平板４の奥側の端部をカバー板１６によって下方から支持する。
次に、枠体３の左の側板３ａ、仕切板５、前板３ｂ、背板３ｃによって囲まれた部分に、洗面ボール１１を設置したうえで枠体３に固定し、その後、洗面ボール１１に配管１７を接続し、さらに、水平板４の下面にタオル掛け２７を取り付けて、施工を終了する。
【００３７】
本実施の形態によれば、第１の実施の形態と同様に、洗面台ユニット１をカバー板１６によって支持できるとともに、このカバー板１６によって洗面ボール１１に接続される配管１７を正面側から隠すことができる。
また、水平板４が筋交いの役目を果たすので、枠体３を補強できる。さらに、水平板４の奥側の端部がカバー板１６によって支持されているので、この水平板４の下方に車椅子等が入れる空間を確保できる。
また、引出ユニット（補助ユニット）３０が壁１０に洗面台ユニット１と所定の間隔をもって固定されるとともに洗面台ユニット１に連結材（造作前板）４３によって連結されているので、引出ユニット（補助ユニット）３０によって洗面台の左右の幅を広げることができる。
さらに、洗面台ユニット１の枠体３と引出ユニット（補助ユニット）３０の互い対向する側面にそれぞれ取り付けられた受材８,４２に、（造作前板）４３の両端部がそれぞれ固定されているので、引出ユニット（補助ユニット）３０を連結材４３を介して洗面台ユニット１に容易に連結できる。
【００３８】
なお、上記２つの実施の形態では、カバー板１６を平板によって形成したが、カバー板１６は、例えば平面視略コ字状のものや円弧状の板で形成してもよい。ただし、カバー板と正面壁１０ｂとの間には所定の隙間を設けるものとする。
また、上記の２つの実施の形態において、洗面台ユニット１、造作ユニット２、引出ユニット３０は、躯体すなわち壁１０に固定されているが、これらの床面からの高さは、使用者の身体状況に合わせて、適宜設定される。すなわち、高さ対応が可能となっている。例えば、基本仕様としては、高さＨは８００ｍｍ、車椅子使用者の場合、高さＨは７８０ｍｍ、背の高い者の場合、高さＨは８５０ｍｍに設定される。
【符号の説明】
【００３９】
１  洗面台ユニット
２  造作ユニット
３  枠体
４  水平板
８  受材
１０  壁
１１  洗面ボール
１５  床
１６  カバー板
１７  配管
３０  引出ユニット（補助ユニット）
４２  受材
４３  造作前板（連結材）
【図１】
0005539919.tif 000002
【図２】
0005539919.tif 000003
【図３】
0005539919.tif 000004
【図４】
0005539919.tif 000005
【図５】
0005539919.tif 000006
【図６】
0005539919.tif 000007
【図７】
0005539919.tif 000008
【図８】
0005539919.tif 000009
【図９】
0005539919.tif 000010
【図１０】
0005539919.tif 000011
【図１１】
0005539919.tif 000012
【図１２】
0005539919.tif 000013
【図１３】
0005539919.tif 000014
【図１４】
0005539919.tif 000015